(57)【要約】【課題】シーリングワックスの画像表現に一体化させることのできる二次元カラーコードを提供する。【解決手段】  シーリングワックスで表現された画像の座標上に、フレームの内側縁線１上のエッジ点６〜９と、フレーム外側縁線２として形成される濃度差のある線３０１〜３０８やエッジコード４０１〜４０８を組み込むことで二次元カラーコードとして利用する。【選択図】図１
2014157589.tif 000002
【特許請求の範囲】
【請求項０１】
シーリングワックスの画像表現を用いた二次元カラーコードで、
コード情報が、色相や濃度の差のある線と断続するエッジコードにより形成されたもので、中央の刻印の周囲に形成されるフレームの内側縁線上及び外側縁線上の円周を複数に分割された各部位のエッジ点に設置されていることを特徴とする二次元カラーコード。
【請求項０２】
前記エッジ点が、中央の刻印の周囲に形成されるフレームの内側縁線上及び外側縁線上に設置されたもので、円周が最大４８等分に分割されていることを特徴とする請求項１項記載の二次元カラーコード。
【請求項０３】
前記フレームの内側縁線上に設置されたエッジコードが、
コードの上下左右を示す向き、及び、内側縁線の形状のゆがみが判別出来るように配置されていることを特徴とする請求項１及び２項記載の二次元カラーコード。
【請求項０４】
前記フレームの内側縁線上のコードの向き、及び形状の歪みを判定するためのエッジコードが、
真円の円周上の一つの対角する０時、６時の二つのエッジ点と、その中間の３時のエッジ点の最低３つのエッジ点の位置に存在するものを基本エッジコードとし、上下、左右及び円の歪みが判別出来るようにされるとともに、３時に対角する９時の位置にエッジコードが付加されていないことを特徴とする請求項１〜３記載の二次元カラーコード。
【請求項０５】
前記フレームの内側縁線上のエッジコードが、
真円の円周上の一つの対角する０時、６時の二つのエッジ点と、その中間の３時のエッジ点の最低３つのエッジ点の位置に存在するものを基本エッジコードとし、上下、左右及び円の歪みが判別出来るようにされるとともに、３時に対角する９時の位置にエッジコードが付加されていないことと、それ以外の位置に２つ以上のエッジコードが中心に対する対称となる位置上に存在しないように付加されていることを特徴とする請求項１〜３記載の二次元カラーコード。
【請求項０６】
前記フレームの内側縁線上のエッジコードが、
真円の円周上の一つの対角する０時、６時の二つのエッジ点と、その中間の３時のエッジ点の最低３つのエッジ点の位置に存在するものを基本エッジコードとし、上下、左右及び円の歪が判別出来るようにされるとともに、３時に対角する９時の位置にエッジコードが付加されていないことと、それ以外の位置に必ず１つ以上のエッジコードが存在することを特徴とする請求項１〜３記載の二次元カラーコード。
【請求項０７】
前記フレームの外側形状は、
内側縁線のエッジコードが存在する円周の直径に対し、外側に２段階以上１０段階までの真円の座標を設定し、その座標線上で、０時方向を外側に延伸した位置を起点とし、４８分割までの交点の位置を外側形状のエッジ点とし、そのエッジ点を含むいずれかのエッジ点を周囲との色相や濃度の差のある線状のエッジコードが通過していることを特徴とする請求項１〜６記載の二次元カラーコード。
【請求項０８】
前記フレームの外側形状が、
内側縁線のエッジコードが存在する円周の直径に対し、外側に２段階以上１０段階までの真円の座標を設定し、その座標線上で、０時方向を外側に延伸した位置を起点とし、２４分割までの交点の位置を外側形状のエッジ点とし、そのいずれかを周囲との色相や濃度の差のある線状のコードが通過し、更に夫々のエッジ点の中間の位置で分割されたエッジ点にエッジコードを記載できることを特徴とする請求項１〜６記載の二次元カラーコード。
【請求項０９】
前記エッジコードが、
周囲との色相や濃度の差が、線状、切れ込み状、段差のある切れ込み、切れ込みの端部がグラデーション、切れ込みが濃度差のある細い線がエッチング状、気泡が弾けたような小さなすり鉢状になっていることを特徴とする請求項１〜７記載の二次元カラーコード。
【発明の詳細な説明】
【技術分野】
【０００１】  本発明は、図案と違和感なく一体化させた二次元カラーコードに関する。
【背景技術】
【０００２】  デジタル情報が記憶された二次元カラーコードにおいて、特許文献１が開示する二次元カラーコードは、シーリングワックスを模した中央の刻印部分に、商品名、商標や標章等の情報を記載することが可能で、その周囲にはみ出すように形成されるフレームと、上下２か所の座標コードにデジタル情報を付加し、違和感なく一体化されていることを特徴とする（特許文献１・請求項１〜請求項４）。【０００３】  また、このコードは、十分なコード発行数が得られるとともに上下の座標コードにより、デジタル情報が付加された二次元コードであるという認識がされ易いばかりか、デジタル情報の読取も正確に行えるものである。
【先行技術文献】
【特許文献】
【０００４】
【特許文献１】特願２０１１−２６０３９４号
【発明の概要】
【発明が解決しようとする課題】
【０００５】  特許文献１が開示する二次元コードでは、シーリングワックスの画像表現の上下に座標コードが用いられているため、コードであると云う識別が容易であるが逆に、商品パッケージの表面等に用いる場合、シーリングワックスがあくまでもデザインの一部となるため、上下の座標コードはデザイン上好ましくないという要望もあり、コードと認識されないように、当該座標コードを別のデジタル情報に変え、シーリングワックス画像とは別の位置に収納することを検討した。
【課題を解決するための手段】
【０００６】  検討の結果開発したものが、シーリングワックスの画像表現を用いた二次元カラーコードで、コード情報が、色相や濃度の差のある線と断続するエッジコードにより形成されたもので、中央の刻印の周囲に形成されるフレームの内側縁線上及び外側縁線上の円周を複数に分割された各部位のエッジ点（認識点）を含む部分に設置されている。【０００７】  そのため、本発明において識別可能なデジタル情報（例えば特定の英数文字からなる識別コード）からエッジコードを作成する場合、補正円でもあるフレームの内側縁線上のエッジコードの情報を真円になるように配置し、さらに、外側縁線を形成するために配置された、識別コード情報に相当する位置情報に基づいたエッジコードの情報を座標に付与し、それらを１本の線で連結したものが外側縁線となりフレームを表現することが可能となる。【０００８】  補正円でもあるフレームの内側縁線上のエッジコードとは、コードの上下左右を示す向き及び内側縁線の形状の歪みを読取り、判別出来るように配置されているもので、この場合、内側縁線は真円であるので、エッジコードの情報から容易に歪みの補正が可能となる。【０００９】  エッジコードの情報とは、フレームの内側縁線上のコードの向き及び形状の歪みを判定するためのエッジコードが、真円の円周上の一つの対角する０時、６時の二つのエッジ点と、その中間の３時のエッジ点の最低３つのエッジ点の位置に存在するものを基本エッジコードとし、上下、左右及び円の歪みが判別出来るようにされるとともに、３時に対角する９時の位置にエッジコードが付加されていないようになっている。そのためどの角度から読み取ろうとしても、中心点に対する対称位置に存在する１対のエッジ点は必ず１組しか無く、その２つ（０時−６時を結んだ線と、３時の位置）が存在するフレーム内側縁線の歪みを補正し、その２点を結んだ線の中心がフレーム内側縁線の中心となり、その点からどちらかの９０度方向のフレーム内側縁線上にあるエッジ点が３時を表すエッジ点であるため、上下左右を認識することが可能となる。【００１０】  また、フレームの内側縁線上のエッジコードが、真円の円周上の一つの対角する０時、６時の二つのエッジ点と、その中間の３時のエッジ点の最低３つのエッジ点の位置に存在するものを基本エッジコードとし、上下、左右及び円の歪みが判別出来るようにされるとともに、３時に対角する９時の位置にエッジコードが付加されていないことと、それ以外の位置に１つもしくは、２つ以上のエッジコードが対角線上に存在しないように付加することも可能である。付加されることが可能なエッジ点が他のエッジ点に対角しないものであれば良く、そのことでコード発行数を増加させることが可能となる。【００１１】  フレームの外側形状は、内側縁線のエッジコードが存在する円周の直径に対し、外側に２段階以上５段階までの真円の座標を設定し、その座標線上で、０時方向を外側に延伸した位置を起点とし、２４分割までの交点の位置を外側形状のエッジ点とし、そのいずれかを周囲との色相や濃度の差のある線状のコードが通過し、更に夫々のエッジ点の中間の角度で分割されたエッジ点にエッジコードが記載されていて、もしくは記載されずにいて、そのエッジ点を順に連結することで１本のフレーム外側縁線を形成することが出来る。【００１２】  本発明の二次元カラーコードに用いられているエッジコードは、周囲との濃度差や色相の差が、切れ込み状、段差のある切れ込み、切れ込みの端部がグラデーション、切れ込みが色相や濃度の差のある細い線がエッチング状、気泡が弾けたような小さな火口状になっている。【００１３】  そのため、本発明のエッジコードは、コード情報を専用の読取装置や携帯端末等のカメラにより、画像として取り込まれた後、画像の拡大、歪み補正、色補正等のソフトウエア処理によりエッジコードとして読取ることで、識別可能なデジタル情報（例えば特定の英数文字からなる識別コード）となる。【００１４】  そして、デジタル情報は専用サーバに送られ、対応する別のデジタル情報（例えば企業のＨＰの特定ページを表示するＵＲＬ）を専用の読取装置や携帯端末に返信させ、必要に応じて前記別のデジタル情報に応じた処理をさせる（別のデジタル情報が前記ＵＲＬの場合、ブラウザを起動して企業ＨＰの特定ページを表示させる）。
【発明の効果】
【００１５】  本発明は、シーリングワックスに最も近い状態の画像表現を二次元カラーコードとすることが可能であるため、何よりも美しいものであるばかりか、周囲との違和感や異物感を効果的に醸し出すことで、フレームの内側の刻印部分に表現される例えば、商品名、標章や商標等を究めて効果的に伝えることが可能となる。【００１６】  さらに、本２次元カラーコードは印刷物に限定されることもなく、繊維素材を用いてマット状にして床面に配置したり、大型の屋外広告にすることも出来るため、宣伝効果に長けたものが得られる。
【図面の簡単な説明】
【００１７】
【図１】本発明の２次元カラーコードの一例を表した正面図である。
【図２】本発明の分割された座標やエッジ点を表した図である。
【図３】フレーム内側縁線上のエッジ点を表す正面図である。
【図４】フレーム内側縁線及び外側縁線の分割された座標とエッジ点を表す正面図である。
【図５】エッジコードの形状を表す図で、（ａ）１本線の切り込み、（ｂ）線の段違い、（ｃ）線端部ボカシ、（ｄ）線がエッチング状、（ｅ）火口形状
【図６】エッジコードの位置を表す断面図。
【図７】当該コードとエッジコードの細部の状態を表す図で、図（ｆ）は当該コード、図（ｇ）はエッジ点を含む位置、図（ｈ）は図（ｇ）部の詳細図である。
【発明を実施するための形態】
【００１８】  以下、本発明を実施するための形態について説明する。本発明の２次元カラーコードは、例えば図１〜図４に見られるように、シーリングワックスの画像表現であれば刻印部３にはどのような画像を搭載しても良く、そのフレーム内側縁線１及び外側縁線２の部分に違和感が無いように収納されて用いられる。
【００１９】  フレームの内側縁線１及びフレームの外側縁線２の部分とは、実際に溶かし出されたシーリングワックスの中央部分に刻印を捺した時、刻印を捺すことにより刻印部分から外側に溶融されたワックスが捺し出されることにより凸型のフレームが出来る。そのフレーム４の内側と外側の縁の部分は、フレームを断面形状として見た場合、フレーム４の頂上部分よりも低い位置にあり、シーリングワックスの画像で見るとフレーム４の峰部分は光沢や光の照射角度に関係なく光って見えるが、フレーム４の縁部分は、略真上からの光の照射の場合が顕著であるが、標高が低くなるにつれ、濃度の濃い色で影を表現したり、黒い線で表現しても違和感が無いため、その部分のエッジ点に、濃度差のある線と断続するエッジコード６，７，８、３０１〜３０８及び４０１〜４０８を表現することができる。
【００２０】  このフレーム４の内側縁線１は、シーリングワックスの画像を表現したもののサイズが一定ではなかったり、撮影する角度が中心の真上でない場合であったり、フレーム４の内側、つまり刻印部３に多くの真円上の模様や罫線等が有る場合もあるため、必ずコードの境界１３部分からフレームの外側縁線２を識別することは容易であり、フレームの濃度が濃い縁部分２から内側方向に濃度が淡くもしくは薄くなったフレームの頂部分１５を通過し再度濃度が濃くなったフレーム内側部分を数か所ピックアップして得られた部分にある０時６、６時７、３時８及び９時９方向の空白のエッジ点９からフレーム内側縁線の半径１０を割り出し、導き出された真円がフレームの内側縁線１と判定することができる。
【００２１】  また、フレーム内側縁線１が真円であるという条件であれば、そのことから読み取られた各エッジ点により、コードの上下左右の向き及び形状の歪みを判定し、補正することが可能となる。
【００２２】  外側縁線の広がりを表す座標を３段階とした例をあげると、フレームの外側縁線２とは、フレーム内側縁線１の読取により得られた当該線の半径１０や歪みから補正して得られた中心点５、時間方向の分割、第２、第３のフレーム外側線座標２００〜２０２の座標を導き出し、それらを色相や濃度の差のある線と断続するエッジコードを結んだもので、必ず、シーリングワックスのフレームの頂点部分から外側に位置するものである。
【００２３】「濃度差のある線と断続するエッジコード」とは、周囲との色相や濃度の差が有るような線が、特定の座標及び分割位置にあるエッジ点を通過するもので、通過した座標を読取るように出来、また、その中間である別の座標及び分割位置に存在するエッジ点の部分に、図５に見られるように形状のコードで、例えば（ａ）切れ込み状、（ｂ）段差のある切れ込み、（ｃ）切れ込みの端部がグラデーション、（ｄ）切れ込みが濃度差のある細い線がエッチング状、（ｅ）気泡が弾けたような小さなすり鉢状、火口状のような断線したようなコードであるので容易に判別することができる。
【００２４】  次に図２及び図４を基にエッジ点（認識点）が設置される、真円の広がりの座標について説明する。コードの座標中心点から等距離に配置された真円の座標がフレーム内側縁線で、ここでは３段階に分割したものを例示しているが、外側に最小となるフレーム外側縁線２００の座標、更に２つのフレーム外側縁線２０１及び２０２の座標がある。
【００２５】  この広がりの座標の分割は、フレーム内側縁線の半径１０に対し、最小となるフレーム外側縁線の半径１１をどこからスタートするのかにもよるが、刻印のサイズでもあるフレーム内側縁線の半径に対し、余りにもフレームが大きくなりすぎると、コードそのもののサイズには限界があるため、刻印部分の画像が小さくなりすぎることになり、刻印部分で告知したいことや広告効果が低下するため、最大となるフレーム外側縁線座標２０２、つまりコードの境界１３は半径１０に対して３倍までを１０分割までにしたものが読取時の正確性を維持するためにも適当である。
【００２６】  もう一つの座標である、３６０度の角度の分割座標に付いては、本コードを読取りする場合、解像度の高いカメラを用い、読取る画像を拡大して読取ることで、より多くの分割する座標を構成することが可能となるが、実際に溶融されたシーリングワックスに刻印を捺印して出来たフレームの形状をみると、２４個以上の岬状の樹脂の広がりになることは少ないため、中間の分割を加味しても４８分割以上にするとデザイン的にも封蝋が醸し出すリアルさが無くなってくるので、今回は１６分割したものを例示し説明する。
【００２７】  この角度の分割座標の起点となるのは、コード中心点５とフレームの内側縁線１上の０時のフレームの内側エッジ点６を通過しコード画像の枠外１４まで延伸させた０時方向分割線１０１から時計回りに１６分割したもので、フレームの内側縁線と、例えば分割線である１０２、１０３、１０４の交点に位置するエッジ点は、夫々３時のフレームの内側エッジ点８、６時のフレームの内側エッジ点７、９時方向にある空白のエッジ点９との交点で４つのエッジ点、また、夫々の中間分割線１１１、１１２、１１３、１１４で分割し、更にその中間部分を分割する１６分の１分割線１２１〜１２８との交点で１６箇所のエッジ点となる。
【００２８】  フレームの外側縁線２を構成するエッジ点としては、最小となるフレーム外側縁線座標２００、２０１及び２０２の真円で３段階に広がる座標と、角度の分割である１０１〜１０４、それらの中間の１１１〜１１４、更にその中間の１２１〜１２８との交点がエッジ点となり、一つの角度に分割されたエッジ点は、２００、２０１、２０２の内の円周上にしか存在しないのであるが、エッジ点の分割数が少ない場合にデザイン的なデメリットが発生するため、エッジ点以外の部分を通過する濃度差の有る線を用いることも出来る。
【００２９】  図４は、角度を１６分割された線と３段階に広がる座標の交点に、フレームの外側縁線上のエッジ点を通過するエッジコード３０１〜３０８とフレームの外側縁線上の中間エッジ点４０１〜４０８を記載したものである。
【００３０】  フレームの外側縁線上のエッジ点を通過するエッジコードとは、あくまでも自然なフレームの外側縁線を演出するために、１６分割の内の半分の８箇所のエッジ点では、周囲との濃度差のある線状のコードが通過し、更に夫々のエッジ点の中間の角度で８分割されたエッジ点のエッジコードには切れ込み等を入れるようにしている。
【００３１】  図６は、図４のＡ−Ａ‘を表した断面図で、本コードは印刷などの平面的な画像表現だけに留まらず、立体的に表現することも可能である。例えば、立体的に表現された本コードを、真上の位置から撮影する場合、コードが記載されているフレームの内側縁線１やフレームの外側縁線２の高さと、焦点が合う刻印部３の高さにあまり差が無い場合は、濃度差や切れ込みの幅を小さくしたりしても良い。
【００３２】  図７は、当該コードとエッジコードの細部の状態を表す図で、図（ｆ）の（ｇ）部分を拡大したものが図（ｈ）である。例えば、コード画像枠外１４と本２次元カラーコード１６の色差が無い場合においても、コード境界線１３を表す濃度差の有る細線と切れ込みによりエッジコードが形成されているため、識別が容易となるが、更に本カラーコードの識別を容易にするための工夫として、特定の角度、例えば略中心の真上から撮影しようとした場合、エッジコードの部分に偏光を促すようなホログラム状の透明なインクで印刷したり、印刷による濡れ色を醸し出すことでエッジコードの濃度差を際立たせても良い。
【００３３】  また、このコードの境界部１３はフレームの低い位置、つまり影を生成しなければいけない部分でもあるため、濃度差のある細線を入れても問題とならない。
【００３４】  更に、切れ込み幅１２は、読み取り時に画像を拡大して読取ることが出来るため、拡大した状態で０．２ｍｍ以上の隙間があれば良く、違和感のないエッジコードが利用できるのである。
【００３５】  尚、本発明は、前記実施形態に限定されるものではなく、例えば以下のように、発明の趣旨から逸脱しない範囲で適宜変更して具体化することもできる。
（１）コードが、立体的に表現されたシーリングワックスを用いた屋外広告物であること。
（２）コードが、真円、楕円以外の多凹凸の形状を持つシーリングワックスの画像表現であること。
（３）エッジコードが、マイクロ文字により構成されたものであること。
（４）コード数を増加させるために付加されるエッジコードが、フレームの頂部分に表現される光や濃度差の形状によるものであること。
（５）コード数を増加させるために付加されるエッジコードが、フレームの頂部分に描画もしくは彫刻されたものであること。
（６）シーリングワックスの刻印形状が円形でなく、多角形のものであること。
【符号の説明】
【００３６】１      フレームの内側縁線
２      フレームの外側縁線
３      刻印部
４      フレーム
５      コード中心点
６      ０時のフレームの内側エッジ点
７      ６時のフレームの内側エッジ点
８      ３時のフレームの内側エッジ点
９      ９時の空白のエッジ点
１０    フレーム内側縁線の半径
１１    最小となるフレーム外側縁線の半径
１２    切れ込み幅
１３    コード境界部
１４    コード画像枠外
１５    フレームの頂部分
１６    ２次元カラーコード
１０１  ０時方向４分の１分割線
１０２  ３時方向４分の１分割線
１０３  ６時方向４分の１分割線
１０４  ９時方向４分の１分割線
１１１  ０時−３時中間分割線
１１２  ３時−６時中間分割線
１１３  ６時−９時中間分割線
１１４  ９時−０時中間分割線
１２１〜１２８  １６分の１分割線
２００  最小となるフレーム外側縁線座標
２０１  第２フレームの外側縁線座標
２０２  第３フレームの外側縁線座標
３０１〜３０８  フレームの外側縁線上のエッジ点を通過するエッジコード
４０１〜４０８  フレームの外側縁線上の中間エッジ点
【図１】
2014157589.tif 000003
【図２】
2014157589.tif 000004
【図３】
2014157589.tif 000005
【図４】
2014157589.tif 000006
【図５】
2014157589.tif 000007
【図６】
2014157589.tif 000008
【図７】
2014157589.tif 000009